(57)【要約】【課題】  構造が簡単で黴の発生が少なく、手入れが容易な浴室ドア及び浴室を提供する。【解決手段】 浴室ドアは、換気設備を備えた浴室に用いるドアであって、ドアの上部に通気口を設け、黴の付着したほこりが栄養豊富な浴室下部との接触するのを防止し、黴の発生するのをおさえる。さらに好ましくは、通気口を開閉するフラップを設ける。または、フラップは、ドアの内面と略面一に設けることとした。浴室は、このような浴室ドアを設ける。【選択図】図３
2005133312.tif 000002
【特許請求の範囲】
【請求項１】
換気設備を設けた浴室に用いるドアであって、該ドアの上部に通気口を設けたことを特徴とする浴室ドア。
【請求項２】
通気口を開閉するフラップを設けたことを特徴とする請求項１記載の浴室ドア。
【請求項３】
フラップは、ドアの内面と略面一に設けたことを特徴とする請求項２記載の浴室ドア。
【請求項４】
前記請求項１乃至３のいずれかに記載の浴室ドアを設けたことを特徴とする換気設備を有する浴室。
【発明の詳細な説明】
【技術分野】
【０００１】
本発明は、浴室ドア及び浴室に関し、より詳細には、黴の発生が少なく手入れが容易な浴室ドア及び浴室に関するものである。
【背景技術】
【０００２】
従来、浴室の黴の発生を防止するため、通常は湿気を除去するための換気設備が設置されると共に、浴室内への空気取り入れ口としてガラリ２０が設けられた通気口２１が浴室ドア２２の下部に設けられている（例えば、特開２００２−３７２２６７号公報参照）。このガラリ２０は、浴室使用時に浴室の外部に湯水が漏れないように、複雑な形状となっており、そのため、ガラリ２０を掃除するには、歯ブラシ等を使用しなくてはならず、非常に大変であり、完全にきれいにすることはできなかった。
【０００３】
一般に、浴室に発生した黴を除去するため、かび取り剤を用いて洗浄しているが、この黴取り剤は、有害であり、人体に悪影響を与える怖れがあった。
【０００４】
また、黴菌は、浴室ドアの下部に設けられたガラリから浴室内に導入されると、黴が繁殖し易い床面に落下付着し、その箇所に黴が発生するという怖れもあった。
【０００５】
浴室内の湿度を下げるために換気設備を稼動させると、浴室ドアの下部に設けられた従来の通気口の場合、吸い込まれた空気は、浴室ドア、床等の濡れた部分と接触して換気扇に吸われて行く。この時、居住空間からほこりを吸い込み、ほこりに付着した黴菌を浴室内に付着させてしまうことになり、浴室ドア、床等の浴室内の下方では入浴時の湯垢、皮脂、石鹸垢等黴や細菌や酵母の餌となる物質が多く、付着した菌が繁殖して、これらに起因する汚れが目立つようになる。
【特許文献１】特開２００２−３７２２６７号公報
【発明の開示】
【発明が解決しようとする課題】
【０００６】
本願発明は、上記のような事情に鑑みてなされたものであり、構造が簡単で、黴の発生が少なく、手入れが容易な浴室ドア及び浴室を提供することを目的としている。
【課題を解決するための手段】
【０００７】
本願発明に係る浴室ドアは、換気設備を設けた浴室に用いるドアであって、該ドアの上部に通気口を設けたことを特徴とする。
【０００８】
本願の請求項２に係る浴室ドアは、請求項１の発明において、通気口を開閉するフラップを設けたことを特徴とする。
【０００９】
本願の請求項３に係る浴室ドアは、請求項２の発明において、フラップをドアの内面と略面一に設けたことを特徴とする。
【００１０】
本願の請求項４に係る浴室は、換気設備を有する浴室であって、浴室に前記請求項１乃至３のいずれかに記載の浴室ドアを設けたことを特徴とする。
【発明の効果】
【００１１】
本願発明に係る浴室ドアは、水がかかることの無い浴室ドアの上部に通気口を設けたので、通気口に黴が発生することは無く、掃除がはたき等にて非常に簡単にきれいにでき、更に、通気口から黴菌が例え導入されても黴菌は、換気設備に導入され、床面等浴室内に黴が発生しない。
ドア枠上部に開口部を設けた場合は、開口部から吸気された黴菌の付着したほこりは、天井の一部の水滴と接触するが、栄養豊富な浴室下部の水滴との接触がないため、浴室の黴の発生はみられなかった。天井部分では、栄養が少ないため、黴が繁殖できなかったと思われる。
【００１２】
本願発明の請求項２に係る浴室ドアは、換気設備を使用していない時、外部に蒸気が流出するのを防止し、湿気対策できていない壁に悪影響を与えるのを防止できる。
【００１３】
本願発明の請求項３に係る浴室ドアは、浴室ドアを拭き掃除する時、フラップが設けられているにも拘わらず、フラップの表面を拭くだけでフラップはきれいになるので、フラップが設けられていないものと同様に手軽に確実にできる。
【００１４】
本願発明の請求項４に係る浴室は、水がかかることの無い浴室ドアの上部に通気口を設けたので、通気口に黴が発生することは無く、掃除がはたき等にて非常に簡単にきれいにでき、更に、通気口から黴菌が例え導入されても黴菌は、換気設備に導入され、床面等浴室内に黴が発生しない。
【発明を実施するための最良の形態】
【００１５】
以下、本願発明の実施の形態について図面に基づいて詳細に説明する。図１は、本発明の浴室を示す概略図であり、図２乃至図４は、本発明の浴室ドアを示す図である。
【００１６】
この図１及び図２に示す浴室ドア１は、換気扇等の換気設備２のある浴室３に設けるドアであり、アルミニウムでできた枠４と、半透明の硝子５とで構成されており、該ドア１の上部に位置するドア枠４には通気口６が設けられている。
【００１７】
換気設備２としては、換気機能のみ備えた換気扇、下方噴出し型循環式換気扇、下方噴出し型循環式浴室暖房機が一般である。
【００１８】
通気口６は、浴室使用時に湯水が浴室外に流出するのを考慮する必要が無いので、単なる開口部のように簡単に掃除ができる形状が望ましく、角型でも丸型でも良いが、角が無い程掃除が簡単且つ確実にできる点で望ましい。また、隙間は、５ｃｍ以下になると、スポンジ等を把持した手が開口部内に入り難くなるため、好ましく無い。
【００１９】
浴室ドア１が設けられた浴室３の奥側には、洗い場７を介して浴槽８が設けられており、浴槽６の上部には換気設備２が設けられている。
【００２０】
通気口６には合成樹脂よりなる枠体９が嵌合されており、その枠体９の浴室側に形成された軸１０に合成樹脂できた板状のフラップ１１が揺動自在に支持されており、浴室ドアの切欠部
に下端が収納されている。
【００２１】
フラップ１１は、浴室ドア１の内面１２と略面一に設けられており、枠体９に形成された軸１０が係合する凹溝１３が形成されている。
【００２２】
尚、本願発明においては、掃除の容易性をそれ程要求されない場合には、図５に示すように、
フラップ１１は、浴室ドア１の外面１４と略面一に設けられていていてもよい。
【００２３】
また、本願発明においては、浴室内の黴を更に防ぐ場合には、図３及び図５に示すように、
フラップ１１の反対側にはフィルター１５が設けられている。
【００２４】
フィルター１５は、抗菌剤又は防黴剤を含ませておけば、一層確実に黴の繁殖を防止できる。
【００２５】
以下、本発明を実施例によって具体的に説明する。
【実施例１】
【００２６】
図１及び図２に示すように、浴室内天井に換気扇（松下エコシステムズ株式会社製ＦＹ１７Ｊ６）を設けた浴室において、浴室ドアのドア枠上部に通気口を設けた。この浴室に夫婦と子供２名が毎日入浴し、黴の発生状況を確認した。この間全く清掃しなかった。
【実施例２】
【００２７】
実施例１の換気扇の代わりに下方噴出し型循環式浴室暖房機（松下エコシステムズ株式会社製ＦＹ１２ＵＣ１）を設け、暖房機能無しで使用した。この浴室に夫婦と子供２名が毎日入浴し、黴の発生状況を確認した。この間全く清掃しなかった。
【実施例３】
【００２８】
実施例１の換気扇の代わりに下方噴出し型循環式浴室暖房機（松下エコシステムズ株式会社製ＦＹ１２ＵＣ１）を設け、暖房機能付きで使用した。この浴室に夫婦と子供２名が毎日入浴し、黴の発生状況を確認した。この間全く清掃しなかった。
【実施例４】
【００２９】
図３に示すように、浴室ドアのドア枠上部に通気口を設け、その通気口に可動式のフラップを浴室ドア内面と略面一になるように設けた。この浴室に夫婦と子供２名が毎日入浴し、黴の発生状況を確認した。この間全く清掃しなかった。
【実施例５】
【００３０】
図５に示すように、浴室ドアのドア枠上部に通気口を設け、その通気口に可動式のフラップを浴室ドア外面に設けた。この浴室に夫婦と子供２名が毎日入浴し、黴の発生状況を確認した。この間全く清掃しなかった。
【実施例６】
【００３１】
実施例１と同様、図１及び図２に示すように、浴室内天井に換気扇（松下エコシステムズ株式会社製ＦＹ１７Ｊ６）を設けた浴室において、浴室ドアのドア枠上部に通気口を設けた。この浴室に夫婦と子供２名が毎日入浴した。また、７日に１回ドア部の清掃を行い、清掃所要時間と３ヶ月後の汚れ状態を確認した。清掃は、シャワーとスポンジとで行った。
【実施例７】
【００３２】
実施例４と同様、図３に示すように、浴室ドアのドア枠上部に通気口を設け、その通気口に可動式のフラップを浴室ドア内面と略面一になるように設けた。この浴室に夫婦と子供２名が毎日入浴した。また、７日に１回ドア部の清掃を行い、清掃所要時間と３ヶ月後の汚れ状態を確認した。清掃は、シャワーとスポンジとで行った。
【実施例８】
【００３３】
図５に示すように、浴室ドアのドア枠上部に通気口を設け、その通気口に可動式のフラップを浴室ドア外面に設けた。この浴室に夫婦と子供２名が毎日入浴した。
また、７日に１回ドア部の清掃を行い、清掃所要時間と３ヶ月後の汚れ状態を確認した。清掃は、シャワーとスポンジとで行った。
【００３４】
（比較例１）
図６に示すように、浴室内天井に換気扇（松下エコシステムズ株式会社製ＦＹ１７Ｊ６）を設けた浴室において、浴室ドアのドア枠下方に通気口を設けた。この浴室に夫婦と子供２名が毎日入浴し、黴の発生状況を確認した。この間全く清掃しなかった。
【００３５】
（比較例２）
図６に示すように、浴室内天井に換気扇（松下エコシステムズ株式会社製ＦＹ１７Ｊ６）を設けた浴室において、浴室ドアのドア枠下方に通気口を設けた。この浴室に夫婦と子供２名が毎日入浴した。
また、７日に１回ドア部の清掃を行い、清掃所要時間と３ヶ月後の汚れ状態を確認した。この時ガラリ部分は歯ブラシを用いて清掃し、ドア本体の清掃は、シャワーとスポンジとで行った。
【００３６】
（かびの発生状況の評価等）
１．黴の発生状況の評価：
３ヶ月使用後のかび発生有無を、浴室天井、浴室床、浴室ドア、通気口（ガラリ）から６  ０ｃｍ離れた位置から目視評価にて評価し、下記のような判定基準により判定し、その結果  を表１に示した。
【００３７】
２．判定基準
○：黴による汚れが見られない
△：黴による汚れが少し見られる
×：黴による汚れが激しい
で表示した。
【００３８】
【表１】
2005133312.tif 000003
黴発生状況
実施例１ 浴室天井○ 浴室床○  浴室ドア○ 通気口（ガラリ）○
実施例２ 浴室天井○ 浴室床○  浴室ドア○ 通気口（ガラリ）○
実施例３ 浴室天井○ 浴室床○  浴室ドア○ 通気口（ガラリ）○
実施例４ 浴室天井○ 浴室床○  浴室ドア○ 通気口（ガラリ）○
実施例５ 浴室天井○ 浴室床○  浴室ドア○ 通気口（ガラリ）○
実施例６ 清掃所要時間：５分   汚れ状態：○
実施例７ 清掃所要時間：２分   汚れ状態：○
実施例８ 清掃所要時間：３分   汚れ状態：△
比較例１ 浴室天井○ 浴室床△  浴室ドア○ 通気口（ガラリ）×
比較例２ 清掃所要時間：３０分 汚れ状態：△
【００３９】
（実施例１と比較例１の比較について）
実施例１の結果によれば、浴室内の黴発生を無くすことができた。
この理由は、外部から吸い込む空気が浴室特有の湯垢等の栄養分が殆ど無い天井部分の一部にしか接触しないためである。
比較例１の結果によれば、浴室床、通気口（ガラリ）の黴が発生した。
この理由は、従来の通気口（ガラリ）が浴室内で使用する水が外部に飛散しないように複雑で狭い空間しか取っていないため、浴室外から流れ込むほこりを含んだ空気が湿った通気口部分に付着し、付着した大量のゴミや浴室内から飛び散った湯垢等の汚れを餌にして繁殖したものと考えられる。
【００４０】
また、床においても比較例１では若干の黴が見られたが、これもドア枠下部に設けた通気口（ガラリ）の形状が浴室内部で床面に向かって空気が流れる方向に設置されているため、黴菌を載せたほこりを含んだ空気が床面の湿り部分に付着し、湯垢等の栄養分で繁殖したためと考えられる。
【００４１】
（実施例２について）
実施例２の結果によれば、浴室内天井に下方噴出し型循環式換気扇を設けた浴室において、 浴室ドアのドア枠上部に通気口（ガラリ）を設けることにより、実施例２の結果が示す通り、浴室内の黴発生を無くすことができた。
この理由は、外部から流れ込む空気が浴室特有の湯垢等の栄養分の殆ど無い天井部分の一部にしか接触しないためである。床,ドア等にも循環風が当るが換気扇を通った空気はフィルターを通るため、黴を含んだほこりは除去されており、床、ドアに黴を含んだほこりは付着しないのである。また、実施例１と比較すると、空気の流れが大きく、乾き易いため黴の発生は更に少ないのである。
【００４２】
（実施例３について）
実施例３の結果によれば、浴室内天井に下方噴出し型循環式換気扇を設けた浴室において、浴室ドアのドア枠上部に通気口（ガラリ）を設けることにより、実施例３の結果が示す通り、浴室内の黴発生を無くすことができた。
この理由は、外部から流れ込む空気が浴室特有の湯垢等の栄養分の殆ど無い天井部分の一部にしか接触しないためである。床,ドア等にも循環風が当るが換気扇を通った空気はフィルターを通るため、黴を含んだほこりは除去されており、床、ドアに黴を含んだほこりは付着しないのである。また、実施例２と比較すると、温度の高い空気が流れるため、乾き易く黴の発生は更に少ないのである。
【００４３】
（実施例４について）
実施例４の結果によれば、浴室ドアのドア枠上部に通気口（ガラリ）を設け、その通気口に可動式のフラップを設けることにより、実施例４の結果が示す通り、浴室内の黴発生を無くすことができた。
この理由は、外部から流れ込む空気が浴室特有の湯垢等の栄養分の殆ど無い天井部分の一部にしか接触しないためである。床,ドア等にも循環風が当るが換気扇を通った空気はフィルターを通るため、黴を含んだほこりは除去されており、床、ドアに黴を含んだほこりは付着しないのである。また、実施例１と比較すると、換気設備を使用していない場合、わずかであるが蒸気が外部に流出し、壁等が湿気ることがあるが、それを防止すると共に、ドアの内面と略面一にフラップを設けたものは、清掃性を維持することができるのである。
【００４４】
以上の結果から、本願発明の浴室ドアによれば、浴室内の黴発生を無くすことができる。
【００４５】
本願発明の上部に通気口を設けた浴室ドアを浴室に適用することができる。
【図面の簡単な説明】
【００４６】
【図１】本願発明における浴室ドアの第１実施例を用いた浴室の概略図である。
【図２】本願発明における浴室ドアの第１実施例の正面図である。
【図３】本願発明における浴室ドアの第１実施例の断面図である。
【図４】本願発明における浴室ドアの第１実施例の一部を切欠した要部拡大図である。
【図５】本願発明における浴室ドアの他の実施例の断面図である。
【図６】従来例における浴室ドアの第２実施例の断面図である。
【符号の説明】
【００４７】
１  浴室ドア
２  換気設備
３  浴室
４  枠
５  硝子
６  通気口
７  洗い場
８  浴槽
９  枠体
10  軸
11  フラップ
12  浴室ドアの内面
13凹溝
14浴室ドアの外面
15フィルター
【図１】
2005133312.tif 000004
【図２】
2005133312.tif 000005
【図３】
2005133312.tif 000006
【図４】
2005133312.tif 000007
【図５】
2005133312.tif 000008
【図６】
2005133312.tif 000009